【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
無線インタフェースを有するモバイルデバイスでの使用のための通信方法であって、
ネットワークベース局所モビリティ管理システムで第１のネットワークドメインのアクセスコンポーネントを介して前記システムの前記第１のネットワークドメインのネットワークドメインノードと通信リンクを確立することと、
前記ネットワークベース局所モビリティ管理システムで前記システムの同じ第１のネットワークドメインの少なくとも１つの別のアクセスコンポーネントを介して前記ネットワークドメインノードと少なくとも１つの別の通信リンクを確立することと、
前記アクセスコンポーネントの少なくとも１つを介してサービス品質を要求することと、ここにおいて前記
サービス品質の要求は前記通信リンクに関連する複数のメッセージフローのうちから特定のメッセージフローを識別するものである、
前記アクセスコンポーネントおよび前記少なくとも１つの別のアクセスコンポーネントを介した連立の通信リンクによる前記ネットワークベース局所モビリティ管理システムの前記ネットワークドメインノードとの同時通信を処理すること、ここにおいて前記同時通信は前記モバイルデバイスの同じ無線インタフェースを採用し、前記同時通信の処理は前記識別されたメッセージフローのための前記要求されたサービス品質に従う、
を含む通信方法。
【請求項２】
前記ネットワークドメインノードへの別の経路を介して次登録を開始することをさらに含む請求項１の方法。
【請求項３】
シーケンス情報を変更し、前記変更されたシーケンス情報を前記次登録に関連付けることをさらに含む請求項２の方法。
【請求項４】
前記シーケンス情報の変更は、値をインクリメントし、値をディクリメントし、またはタイムスタンプ値を更新することを含む請求項３の方法。
【請求項５】
前記シーケンス情報の変更は、モバイル端末およびプロキシノードのうちの１つまたは複数によって実行される請求項４の方法。
【請求項６】
１つまたは複数の他のイベントまたは他のトリガーとは無関係に１つまたは複数のイベントまたはトリガーを処理することをさらに含む請求項１の方法。
【請求項７】
所定のポリシーを介して、またはシグナルされたポリシーを介して同時通信を可能にすることをさらに含む請求項１の方法。
【請求項８】
アクセスポイント、アクセスノードおよびアクセスルータのうちの１つまたは複数を含む経路を介してリンク登録を実行することをさらに含む請求項１の方法。
【請求項９】
ローミングアクセス端末の通信装置であって、
第１のネットワークドメインの２つ以上のアクセスコンポーネントのうちの少なくとも１つのアクセスコンポーネントを介してサービス品質を要求することと、ここにおいて前記サービス品質の要求はネットワークベース局所モビリティ管理システムで前記第１のネットワークドメインの前記アクセスコンポーネントを介して確立された通信リンクに関連する複数のメッセージフローのうちから特定のメッセージフローを識別するものである、
前記ネットワークベース局所モビリティ管理システムの前記第１のネットワークドメインの同じネットワークドメインノードと、前記第１のネットワークドメインの前記２つ以上のアクセスコンポーネント、前記ローミングアクセス端末の同じ無線インタフェース、および少なくとも１つのローカルモビリティアンカーを介した連立の通信リンクにより、確立される複数の同時リンク接続を前記ローミングアクセス端末において処理する複数の命令を保持するメモリと、ここにおいて前記同時通信の処理は前記識別されたメッセージフローのための前記要求されたサービス品質に従う、
前記複数の命令を実行するプロセッサ、
を具備する通信装置。
【請求項１０】
前記複数の通信リンク上の通信を容易にするポリシーコンポーネントをさらに具備する請求項９の通信装置。
【請求項１１】
アクセス端末の通信装置であって、
少なくとも２つの通信リンクのために、ネットワークベース局所モビリティ管理システムの第１のネットワークドメインから複数のリンク応答を取得するための手段と、
前記ネットワークベース局所モビリティ管理システムからの前記複数のリンク応答を処理するための手段と、  前記アクセスコンポーネントの少なくとも１つを介してサービス品質を要求するための手段と、ここにおいて前記サービス品質の要求は前記通信リンクに関連する複数のメッセージフローのうちから特定のメッセージフローを識別するものである、
前記複数のリンク応答に従って、前記ネットワークベース局所モビリティ管理システムの同じ第１のネットワークドメインの同じネットワークドメインノードと、前記第１のネットワークドメインの２つ以上のアクセスコンポーネントおよびアクセス端末の同じ無線インタフェースを介した連立の通信リンクにより、確立される複数の通信リンクを横切って通信するための手段と、
前記識別されたメッセージフローのための前記要求されたサービス品質に従って同時通信を処理するための手段、
を具備する通信装置。
【請求項１２】
ネットワークベース局所モビリティ管理システムでの使用のための非一時的機械可読媒体であって、
無線インタフェースを有するアクセス端末から前記ネットワークベース局所モビリティ管理システムの第１のネットワークドメインへの要求を取得し、
前記ネットワークベース局所モビリティ管理システムの同じ第１のネットワークドメインの同じネットワークドメインノードと、前記第１のネットワークドメインの２つ以上のアクセスコンポーネントおよび前記アクセス端末の同じ無線インタフェースを介した連立の通信リンクにより、前記確立される２つ以上の通信リンクを横切って前記要求を処理し、
前記第１のネットワークドメインの前記アクセスコンポーネントの少なくとも１つを介してサービス品質の要求を前記アクセス端末から取得し、ここにおいて前記サービス品質の要求は前記通信リンクに関連する複数のメッセージフローのうちから特定のメッセージフローを識別するものである、
前記識別されたメッセージフローのための前記要求されたサービス品質に従って前記アクセス端末との同時通信を処理するための、機械実行可能な複数の命令を格納した非一時的機械可読媒体。
【請求項１３】
前記命令は、少なくとも１つの他のトリガーとは無関係に、１つまたは複数のトリガーを処理することをさらに含む請求項１２の機械可読媒体。
【請求項１４】
ネットワークベース局所モビリティ管理システムでの使用のためのプロセッサであって、以下の複数の命令を実行する、
該複数の命令は、
前記ネットワークベース局所モビリティ管理システムの同じ第１のネットワークドメインの同じネットワークドメインノードと、前記第１のネットワークドメインの２つ以上のアクセスコンポーネントを介した連立の通信リンクにより、確立される複数の同時通信リンクを横切る前記第１のネットワークドメインからのデータを処理し、ここにおいて前記同時通信は前記モバイルデバイスの同じ無線インタフェースを採用する、
前記第１のネットワークドメインの前記アクセスコンポーネントの少なくとも１つを介してサービス品質の要求を取得し、ここにおいて前記サービス品質の要求は前記通信リンクに関連する複数のメッセージフローのうちから特定のメッセージフローを識別するものである、
前記識別されたメッセージフローのための前記要求されたサービス品質に従って前記アクセス端末との同時通信を処理するためのものである、
プロセッサ。
【請求項１５】
ネットワークベース局所モビリティ管理システムの第１のネットワークドメインのための通信方法であって、
前記ネットワークベース局所モビリティ管理システムの前記第１のネットワークドメインのアクセスコンポーネントを介して無線インタフェースを有するアクセス端末への通信リンクを確立することと、
前記ネットワークベース局所モビリティ管理システムの前記第１のネットワークドメインの少なくとも１つの別のアクセスコンポーネントを介して前記アクセス端末への少なくとも１つの別の通信リンクを確立することと、  前記第１のネットワークドメインの前記アクセスコンポーネントの少なくとも１つを介してサービス品質の要求を前記アクセス端末から取得し、ここにおいて前記サービス品質の要求は前記通信リンクに関連する複数のメッセージフローのうちから特定のメッセージフローを識別するものである、
前記ネットワークベース局所モビリティ管理システムの前記アクセスコンポーネントおよび前記少なくとも１つの別のアクセスコンポーネントを介した連立の通信リンクにより、同じ第１のネットワークドメインのネットワークドメインノードとの同時通信を可能にすることと、ここにおいて前記同時通信は前記モバイルデバイスの同じ無線インタフェースを採用する、
前記識別されたメッセージフローのための前記要求されたサービス品質に従って同時通信を処理すること、
を含む通信方法。
【請求項１６】
前記ネットワークドメインノードはローカルモビリティアンカーである請求項１５の方法。
【請求項１７】
前記アクセスコンポーネントはアクセスルータである請求項１５の方法。
【請求項１８】
リンクステートトリガーおよびサービス品質トリガーのうちの１つまたは複数を処理することをさらに含む請求項１５の方法。
【請求項１９】
リンクアップトリガーに応じてリンクを登録すること、およびリンクダウントリガーに応じてリンクの登録を解除することのうちの１つまたは複数をさらに含む請求項１５の方法。
【請求項２０】
１つまたは複数の通信リンクにメッセージフローを送信する別のリンクとして複数の通信リンクを処理することをさらに含む請求項１５の方法。
【請求項２１】
サービス品質要求を考慮してフロー固有登録を開始することをさらに含む請求項１５の方法。
【請求項２２】
フロー固有登録解除を実行することをさらに含む請求項１５の方法。
【請求項２３】
マルチキャスト要求またはユニキャスト要求を処理することをさらに含む請求項１５の方法。
【請求項２４】
他の既存リンクと通信するためにコンテキストトランスファコンポーネントを用いることをさらに含む請求項１５の方法。
【請求項２５】
ローミングアクセス端末の通信装置であって、
ネットワークベース局所モビリティ管理システムの第１のネットワークドメインの同じネットワークドメインノードと、前記ネットワークベース局所モビリティ管理システムの同じ第１のネットワークドメインの２つ以上のアクセスコンポーネント、前記ローミングアクセス端末の同じ無線インタフェース、および少なくとも１つのローカルモビリティアンカーを介した連立の通信リンクにより、確立される複数の同時リンク接続を前記ローミングアクセス端末において生成し、
前記第１のネットワークドメインの少なくとも１つのアクセスコンポーネントを介してサービス品質を要求し、ここにおいて前記サービス品質の要求はネットワークベース局所モビリティ管理システムで前記第１のネットワークドメインの前記アクセスコンポーネントを介して確立された通信リンクに関連する複数のメッセージフローのうちから特定のメッセージフローを識別するものである、
前記識別されたメッセージフローのための前記要求されたサービス品質に従って同時通信を処理するための複数の命令を保持するメモリ、および
前記複数の命令を実行するプロセッサ、
を具備する通信装置。
【請求項２６】
ネットワークベース局所モビリティ管理システムの通信装置であって、
前記ネットワークベース局所モビリティ管理システムの第１のネットワークドメインからの複数のリンク応答を生成するための手段、
前記ネットワークベース局所モビリティ管理システムの前記複数のリンク応答を処理するための手段、
前記第１のネットワークドメインの２つ以上のアクセスコンポーネントのうちの少なくとも１つのアクセスコンポーネントを介してサービス品質の要求を取得し、ここにおいて前記サービス品質の要求は複数の通信リンクに関連する複数のメッセージフローのうちから特定のメッセージフローを識別するものである、
前記複数のリンク応答に従って、前記ネットワークベース局所モビリティ管理システムの同じ第１のネットワークドメインの同じネットワークドメインノードと、前記第１のネットワークドメインの前記２つ以上のアクセスコンポーネントおよびアクセス端末の同じ無線インタフェースを介した連立の通信リンクにより、確立される複数の通信リンクを横切って通信するための手段、および
前記識別されたメッセージフローのための前記要求されたサービス品質に従って同時通信を処理するための手段、
を具備する通信装置。
【請求項２７】
アクセス端末での使用のための非一時的機械可読媒体であって、
リンク要求に対する応答をネットワークベース局所モビリティ管理システムの第１のネットワークドメインから取得し、
前記第１のネットワークドメインの少なくとも１つのアクセスコンポーネントを介してサービス品質を要求し、ここにおいて前記サービス品質の要求は前記ネットワークベース局所モビリティ管理システムで前記第１のネットワークドメインの少なくとも２つのアクセスコンポーネントを介して確立された通信リンクに関連する複数のメッセージフローのうちから特定のメッセージフローを識別するものである、
前記ネットワークベース局所モビリティ管理システムの同じ第１のネットワークドメインの同じネットワークドメインノードと、前記第１のネットワークドメインの２つ以上のアクセスコンポーネントおよび前記アクセス端末の同じ無線インタフェースを介した連立の通信リンクにより、確立される２つ以上の通信リンクを横切って前記要求を処理し、前記識別されたメッセージフローのための前記要求されたサービス品質に従って同時通信を処理するための機械実行可能な複数の命令を格納した非一時的機械可読媒体。
【請求項２８】
以下の複数の命令を実行するアクセス端末のプロセッサであって、
該複数の命令は、
ネットワークベース局所モビリティ管理システムの同じ第１のネットワークドメインの同じネットワークドメインノードと、前記第１のネットワークドメインの２つ以上のアクセスコンポーネントおよび前記アクセス端末の同じ無線インタフェースを介した連立の通信リンクにより、確立される前記第１のネットワークドメインとの複数の同時通信リンクを、確立すること、
前記第１のネットワークドメインの少なくとも１つのアクセスコンポーネントを介してサービス品質を要求し、ここにおいて前記サービス品質の要求はネットワークベース局所モビリティ管理システムで前記第１のネットワークドメインの前記２つ以上のアクセスコンポーネントを介して確立された通信リンクに関連する複数のメッセージフローのうちから特定のメッセージフローを識別するものである、
前記識別されたメッセージフローのための前記要求されたサービス品質に従って同時通信を処理するものである、プロセッサ。
【請求項２９】
同時通信の制御を支援するためのプロキシモバイルインターネットプロトコル（ＰＭＩＰ）を生成することをさらに含む請求項１５の方法。
【請求項３０】
同時通信の制御を支援するためのネットワークベース局所モビリティ管理（ＮＥＴＬＭＭ）プロトコルを生成することをさらに含む請求項１５の方法。
【請求項３１】
同時通信の制御を支援するローカルモビリティアンカーをさらに含む請求項１５の方法。
【請求項３２】
前記複数のメッセージフローのうちの少なくともいくつかのメッセージフローに使用するために前記２つ以上のアクセスコンポーネントのうちの第１のアクセスコンポーネントへの第１のトンネルを確立し、
前記複数のメッセージフローのうちの少なくともいくつかの他のメッセージフローに使用するために前記２つ以上のアクセスコンポーネントのうちの第２のアクセスコンポーネントへの第２のトンネルを確立し、
前記第１および第２のトンネルを使用して同時通信を処理するもので、ここにおいて前記第１のトンネルが前記サービス品質の要求で識別された特定のメッセージフローを運び、前記第２のトンネルが他のメッセージフローを運ぶものである、複数の命令をさらに含む請求項１２の機械可読媒体。
【請求項３３】
前記複数のメッセージフローのうちの少なくともいくつかのメッセージフローに使用するために前記２つ以上のアクセスコンポーネントのうちの第１のアクセスコンポーネントへの第１のトンネルを確立し、
前記複数のメッセージフローのうちの少なくともいくつかの他のメッセージフローに使用するために前記２つ以上のアクセスコンポーネントのうちの第２のアクセスコンポーネントへの第２のトンネルを確立し、
前記第１および第２のトンネルを使用して同時通信を処理するもので、ここにおいて前記第１のトンネルが前記サービス品質の要求で識別された特定のメッセージフローを運び、前記第２のトンネルが他のメッセージフローを運ぶものである、複数の命令をさらに含む請求項１４のプロセッサ。
【請求項３４】
前記複数のメッセージフローのうちの少なくともいくつかのメッセージフローに使用するために前記２つ以上のアクセスコンポーネントのうちの第１のアクセスコンポーネントへの第１のトンネルを確立することと、
前記複数のメッセージフローのうちの少なくともいくつかの他のメッセージフローに使用するために前記２つ以上のアクセスコンポーネントのうちの第２のアクセスコンポーネントへの第２のトンネルを確立することと、
前記第１および第２のトンネルを使用して同時通信を処理することをさらに含む、ここにおいて前記第１のトンネルが前記サービス品質の要求で識別された特定のメッセージフローを運び、前記第２のトンネルが他のメッセージフローを運ぶものである、請求項１５の方法。
【請求項３５】
前記複数のメッセージフローのうちの少なくともいくつかのメッセージフローに使用するために前記２つ以上のアクセスコンポーネントのうちの第１のアクセスコンポーネントへの第１のトンネルを確立するための手段と、
前記複数のメッセージフローのうちの少なくともいくつかの他のメッセージフローに使用するために前記２つ以上のアクセスコンポーネントのうちの第２のアクセスコンポーネントへの第２のトンネルを確立するための手段と、
前記第１および第２のトンネルを使用して同時通信を処理するための手段とをさらに含む、ここにおいて前記第１のトンネルが前記サービス品質の要求で識別された特定のメッセージフローを運び、前記第２のトンネルが他のメッセージフローを運ぶものである、請求項２６の通信装置。